(57)【要約】【課題】第１の鞄が有する既存の構造を利用して、第２の鞄側に設けた結合手段を用いて第２の鞄を第１の鞄に結合する鞄の組合せ構造を提供する。【解決手段】第２の鞄３は、物を収納する本体部３０と、本体部の上部側から延伸した第１バンド３２と、本体部の下部側から延伸した第２バンド３３と、第１バンドに設けた第１面ファスナー３４１と、第２バンドに設けた第２の面ファスナー３４２を有する。第２の鞄の該第１バンド又は第２バンドを第１の鞄の袋帯部１３に通して、第１面ファスナーと第２面ファスナーを着脱自在に結合することで、第２の鞄を第１の鞄１に結合する。【選択図】図４
2012192148.tif 000002
【特許請求の範囲】
【請求項１】
物を収納する本体部と、該本体部の上側から延伸した第１バンドと、該本体部の下側から延伸した第２バンドと、該第１バンドに設けた第１の結合手段と、該第２バンドに設けた第２の結合手段とを備え、該第１の結合手段と該第２の結合手段とを着脱自在に結合することで、該第１バンドと該第２バンドを結合することを特徴とする鞄。
【請求項２】
物を収納する本体部と、該本体部の上部又は下部から延伸した第１バンドと、該第１バンドの裏面側に設けた第１の結合手段と、該本体部の表面に設けた第２の結合手段とを備え、該第１の結合手段と該第２の結合手段とを着脱自在に結合することを特徴とする鞄。
【請求項３】
前記第１及び第２の結合手段は、面ファスナーであることを特徴とする請求項１又は２の鞄。
【請求項４】
前記本体部の前記第１バンドが設けられた面とは反対側の面に、該鞄をキャリーバッグのシャフトに装着するための袋帯部を備えることを特徴とする請求項１乃至３のいずれかの項記載の鞄。
【請求項５】
前記本体部には、前記第１の結合手段と前記第２の結合手段が結合する結合部を覆う、カバー部を更に備えることを特徴とする請求項１又は３記載の鞄。
【請求項６】
第１の鞄と第２の鞄を結合する鞄の組合せ構造であって、
該第１の鞄は、物を収納する本体部と、該本体部の一面側に設けられた、該鞄をキャリーバッグのシャフトに装着するための袋帯部（第１の袋帯部）を備え、
該第２の鞄は、物を収納する本体部と、該本体部の上部側から延伸した第１バンドと、該本体部の下部側から延伸した第２バンドと、該第１バンドに設けた第１の結合手段と、該第２バンドに設けた第２の結合手段とを備え、
該第２の鞄の該第１バンド又は該第２バンドを該第１の鞄の該袋帯部に通して、該第１の結合手段と該第２の結合手段とを着脱自在に結合することで、該第１の鞄と該第２の鞄とを結合することを特徴とする鞄の組合せ構造。
【請求項７】
第１の鞄と第２の鞄を結合する鞄の組合せ構造であって、
該第１の鞄は、物を収納する本体部と、前記本体部の一面側に設けられた、該鞄をキャリーバッグのシャフトに装着するための袋帯部（第１の袋帯部）を備え、
該第２の鞄は、物を収納する本体部と、該本体部の上部又は下部から延伸した第１バンドと、該第１バンドの裏面側に設けた第１の結合手段と、該本体部の表面に設けた第２の結合手段とを備え、
該第２の鞄の該第１バンドを該第１の鞄の該袋帯部に通して該第１の結合手段と該第２の結合手段とを着脱自在に結合することで、該第１の鞄と該第２の鞄とを結合することを特徴とする鞄の組合せ構造。
【請求項８】
前記第２の鞄の、前記本体部の前記第１バンドが設けられた面とは反対側の面に、上側及び下側にそれぞれ開口部が形成された第２の袋帯部を備え、
該第１の鞄と該第２の鞄が結合状態にある、該第２の鞄の該第２の袋帯部を、キャリーバッグのシャフトに装着することを特徴とする請求項６乃至７のいずれかの項記載の鞄の組合せ構造。
【請求項９】
前記第１バンドの裏面側全体に設けた第１の結合手段としての第１の面ファスナーと、該第１バンドに対応する該本体部の表面に設けた第２の結合手段としての第２の面ファスナーを有することを特徴とする請求項７記載の鞄の組合せ構造。
【請求項１０】
前記第２の鞄の該本体部の上辺部には、該第２の鞄が該第１の鞄に重量的に支持されるように、該第１の鞄の取手に引っ掛ける引掛け手段と有することを特徴とする請求項６乃至８のいずれかの項記載の鞄の組合せ構造。
【発明の詳細な説明】
【技術分野】
【０００１】  本発明は鞄及び鞄の組合せ構造に係り、特に、ビジネス鞄とＰＣ（パソコン）用鞄のような２つの鞄を結合して持ち運ぶのに好適な、ＰＣ用鞄及びその組合せ構造に関するものである。
【背景技術】
【０００２】  用途や目的の異なる２つの鞄をファスナー等の結合手段によって結合して一体構成することにより、荷物としての鞄の個数を減らし、持ち運び性を改善にした組合せ鞄が知られ、実用化されている。
例えば、特許文献１には、用途の違う鞄を連結一体化し、この鞄を一本持つ事により常時用途の違う鞄を何本も持つ事なく、急に荷物が増えた時も簡単に脱着し問題を解決し、不要な時には個々の鞄を取り外し、単独でも利用出来る鞄が開示されている。【０００３】  また、パソコンを収納するバッグとの組合せについて、特許文献２には、鞄を閉じたままでバッグを鞄本体のスペースから外側に移動可能な構造にすることによって、手荷物検査の際鞄本体を開けて中からパソコンを取り出す必要がなく、また、Ｘ線検査に支障をきたさずに手荷物の判別を正確にできるようにした機内持ち込み用鞄の構造が開示されている。
【先行技術文献】
【特許文献】
【０００４】
【特許文献１】特開２００２−３２５６１５公報
【特許文献２】特開２０１０−３５９６７公報
【発明の概要】
【発明が解決しようとする課題】
【０００５】  ビジネス人によっては、日常使う愛用のビジネス鞄の汎用的で既存の機能や構造はそのままにして、即ちビジネス鞄に何ら専用的な構造を施すことなく、更にＰＣ（ノートパソコン）用鞄等を持ち運びたいという要求がある。
然るに、特許文献１及び２に記載の鞄は、２つの専用の鞄をそれぞれの用途に応じて組に結合して使用する構造のものであり、これでは、両方の鞄にファスナーや止め具等の結合機構を設けるなどの専用的な構造を施さなければならず、上記要求を満足させることはできない。
また、ファスナー等の結合構造を設ける場所によっては、鞄の外観の美観を損ね、また鞄を単体で持つときに違和感を持つ人もいる。【０００６】  発明者が日常使用するビジネス鞄は、キャリーバックのシャフトに装着して使用するタイプのものであり、発明者は更に同時にＰＣ用鞄も持ち歩くことがある。ビジネス鞄はキャリーバックのシャフトに装着して運搬する場合、キャリーバックと、ビジネス鞄と、ＰＣ用鞄を要領良く運搬することが可能な鞄の組合せ構造が望まれる。【０００７】  本発明は、汎用的に使用される第１の鞄と第２の鞄を結合して使用することが可能な鞄の組合せ構造を提供することにある。
本発明は、第１の鞄が有する既存の構造を利用して、第２の鞄側に設けた結合手段を用いて第２の鞄を第１の鞄に結合する鞄及びその組合せ構造を提供することにある。より具体的には、第１の鞄をキャリーバックのシャフトに装着するための装着部を利用して、第２の鞄を第１の鞄に結合する鞄及びその組合せ構造を提供することにある。
本発明はまた、第１の鞄と第２の用鞄を結合して組み合せたとき、第２の鞄に設けた装着部を用いて、組合せ状態にある鞄をキャリーバックのシャフトに装着することが可能な、鞄及びその組合せ構造を提供することにある。
【課題を解決するための手段】
【０００８】  本発明に係る鞄は、好ましくは、物を収納する本体部と、該本体部の上側から延伸した第１バンドと、該本体部の下側から延伸した第２バンドと、該第１バンドに設けた第１の結合手段と、該第２バンドに設けた第２の結合手段とを備え、該第１の結合手段と該第２の結合手段とを着脱自在に結合することで、該第１バンドと該第２バンドを結合することを特徴とする鞄として構成される。【０００９】  また、本発明に係る鞄は、好ましくは、物を収納する本体部と、該本体部の上部又は下部から延伸した第１バンドと、該第１バンドの裏面側に設けた第１の結合手段と、該本体部の表面に設けた第２の結合手段とを備え、該第１の結合手段と該第２の結合手段とを着脱自在に結合することを特徴とする鞄として構成される。
好ましい例では、前記第１及び第２の結合手段は、面ファスナーである。【００１０】  また、好ましくは、前記本体部の前記第１バンドが設けられた面とは反対側の面に該鞄をキャリーバッグのシャフトに装着するための袋帯部を備える。
また、好ましくは、前記本体部には、前記第１の結合手段と前記第２の結合手段が結合する結合部を覆う、カバー部を更に備える。【００１１】  本発明に係る鞄の組合せ機構は、好ましくは、第１の鞄と第２の鞄を結合する鞄の組合せ構造であって、
該第１の鞄は、物を収納する本体部と、該本体部の一面側に設けられた、該鞄をキャリーバッグのシャフトに装着するための袋帯部（第１の袋帯部）を備え、
該第２の鞄は、物を収納する本体部と、該本体部の上部側から延伸した第１バンドと、該本体部の下部側から延伸した第２バンドと、該第１バンドに設けた第１の結合手段と、該第２バンドに設けた第２の結合手段とを備え、
該第２の鞄の該第１バンド又は該第２バンドを該第１の鞄の該袋帯部に通して、該第１の結合手段と該第２の結合手段とを着脱自在に結合することで、該第１の鞄と該第２の鞄とを結合することを特徴とする鞄の組合せ構造として構成される。【００１２】  また、本発明に係る鞄の組合せ機構は、好ましくは、第１の鞄と第２の鞄を結合する鞄の組合せ構造であって、
該第１の鞄は、物を収納する本体部と、前記本体部の一面側に設けられた、該鞄をキャリーバッグのシャフトに装着するための袋帯部（第１の袋帯部）を備え、
該第２の鞄は、物を収納する本体部と、該本体部の上部又は下部から延伸した第１バンドと、該第１バンドの裏面側に設けた第１の結合手段と、該本体部の表面に設けた第２の結合手段とを備え、
該第２の鞄の該第１バンドを該第１の鞄の該袋帯部に通して該第１の結合手段と該第２の結合手段とを着脱自在に結合することで、該第１の鞄と該第２の鞄とを結合することを特徴とする鞄の組合せ構造として構成される。【００１３】  好ましい例では、前記第２の鞄の、前記本体部の前記第１バンドが設けられた面とは反対側の面に、上側及び下側にそれぞれ開口部が形成された第２の袋帯部を備え、
該第１の鞄と該第２の鞄が結合状態にある、該第２の鞄の該第２の袋帯部を、キャリーバッグのシャフトに装着する。
また、好ましくは、前記第１バンドの裏面側全体に設けた第１の結合手段としての第１の面ファスナーと、該第１バンドに対応する該本体部の表面に設けた第２の結合手段としての第２の面ファスナーを有する。
また、好ましくは、前記第２の鞄の該本体部の上辺部には、該第２の鞄が該第１の鞄に重量的に支持されるように、該第１の鞄の取手に引っ掛ける引掛け手段と有する。
【発明の効果】
【００１４】  本発明によれば、第１の鞄には格別な結合手段を施さずに、第１の鞄が予め有する既存の構造を利用して、第２の鞄を第１の鞄に結合して使用する鞄の組合せ構造を得ることができる。
より具体的には、第１の鞄をキャリーバックのシャフトに装着するための装着部（袋帯部）を利用して、第２の鞄を第１の鞄に結合することができる。
また、第１の鞄に第２の用鞄を結合して組合せたとき、第２の鞄に設けた装着部（袋帯部）を用いて、組合せ状態にある鞄をキャリーバックのシャフトに装着することが可能な、鞄の組合せ構造を得ることができる。
【図面の簡単な説明】
【００１５】
【図１】ビジネス鞄の一例を示す外観図。
【図２】キャリーバックへのビジネス鞄の装着の一例を示す外観図。
【図３】一実施例によるＰＣ用鞄の一例を示す外観図。
【図４】一実施例によるＰＣ用鞄の一例を示す外観図。
【図５】一実施例によるビジネス鞄とＰＣ用鞄の結合の一例を示す外観図。
【図６】他の実施例によるＰＣ用鞄の一例を示す外観図。
【図７】他の実施例によるＰＣ用鞄の一例を示す外観図。
【図８】他の実施例によるＰＣ用鞄の一例を示す外観図。
【図９】他の実施例によるＰＣ用鞄の一例を示す外観図。
【図１０】他の実施例によるビジネス鞄とＰＣ用鞄の結合の例を示す外観図。
【発明を実施するための形態】
【００１６】  以下、図面を参照して本発明の実施形態について説明する。
図１はビジネス鞄の一例を示す。
ビジネス鞄１は、一般に市販されている汎用的な鞄であり、キャリーバッグのシャフトに装着可能である。このビジネス鞄１は、書類等の荷物を収納する鞄本体１０と、鞄本体を開閉するファスナー１２と、取手１１と、肩掛けベルトの引掛け部１６を備えて構成される。鞄本体１０の外装は硬質合成樹脂等の硬質材や、厚い布等の軟質材で構成される。
【００１７】  鞄本体１０は、使用者の体に面する一面側Ａと、外側に面する他面側Ｂ（図１では他面側Ｂは見えていないが）を有し、他面側Ｂには、手帳や携帯電話等を収納する１又は複数の収納部（ポケット）が設けられている。また、一面側Ａには、主にキャリーバッグのシャフトに装着するための袋帯部１３が設けられる。袋帯部１３も、鞄本体と同様の部材で構成されている。
【００１８】  袋帯部１３には、その上側と下側にそれぞれ一対の上部ファスナー１４１と、下部ファスナー１４２が設けられ、これらのファスナー１４１，１４２を移動することで、開口部１５１、１５２（総じて１５と示す）が形成される。上部ファスナー１４１と下部ファスナー１４２の両方を開くことで、上側開口部１５１と下側開口部１５２が形成されて、袋帯部１３は帯状になる。この袋帯部１３をキャリーバッグ２のシャフト２１に装着する（図２参照）。袋帯部１３の上部ファスナー１４１と下部ファスナー１４２の開放具合（開放の長さＬ）を調整することで、シャフト２１の間隔に自在に適合できる。また、上部ファスナー１４１を開放し、下部ファスナー１４２を閉鎖することで、ポケット状の収納部を形成することができる。
【００１９】  図２に示すように、一般に、キャリーバッグ２は、バッグ本体２０と、一対のキャスタ２３、ガイド筒２２内に案内されて伸縮可能の一対のシャフト２１と、ハンドル２２を備えて構成される。ビジネス鞄１の上部ファスナー１４１と下部ファスナー１４２を開放して、帯状となった袋帯部１３は、キャリーバッグ２の一対のシャフト２１に通されて、キャリーバッグ２に装着され、ビジネス鞄１をキャリーバッグ２と一体的に運搬することが出来る。
【００２０】  次に、図３及び図４を参照して、ビジネス鞄１に結合される他の鞄の例について説明する。この例で、他の鞄はノートパソコン（ＰＣという）用の鞄である。
ＰＣ用鞄３は、ＰＣを収納する鞄本体３０と、鞄本体３０を開閉するファスナー３４と、取手３１を有する。更に、本発明に特徴的な構成として、鞄本体３０の一面側Ｂに、一対の幅広な第１バンド３２と第２バンド３３が設けられている。第１バンド３２は、鞄本体３０の上側から延伸し、その裏側には面ファスナー（突起状面ファスナー）３４１が設けられている。第２バンド３３は、鞄本体３０の下側から延伸し、その表側には面ファスナー（ループ状面ファスナー）３４２が設けられている。第１バンド３２の面ファスナー３４１と、第２バンド３３の面ファスナー３４２とを係合することで、第１バンド３２と第２バンド３３が結合する。
【００２１】  即ち、第１バンド３２を、ビジネス鞄の袋帯部１３の上側開口部１５１からその中に入れ、他方の第２バンド３３を下側開口部１５２からその中に入れ、袋帯部１３の内部で、面ファスナー３４１と面ファスナー３４２を結合させて、第１バンド３２と第２バンド３３を結合する。これにより、ビジネス鞄１にＰＣ用鞄３を結合して両者を組み合せることができる（図５参照）。
【００２２】  図５に示す、ＰＣ用鞄３は更に特徴的な構成を有している。
ＰＣ用鞄３の他面側Ａ（一面側Ｂと反対側の面）には、結合状態にあるビジネス鞄１とＰＣ用鞄３（以下、組合せ鞄という）を、ＰＣ用鞄３の袋帯部３５を用いて、キャリーバッグのシャフト２１に装着可能である。
即ち、ＰＣ用鞄３のＢ面側の袋帯部３５に設けられた、上部ファスナー３６１及び下部ファスナー３６２の両方を開くことで、上側開口部３７１と下側開口部３７２が形成されて袋帯部３５は帯状になる。この袋帯部３５をキャリーバッグ２のシャフト２１に装着する。勿論、袋帯部３５の上部ファスナー３６１と下部ファスナー３６２の開放具合（開放の長さＬ）を調整することで、シャフト２１の間隔に自在に適合できる。また、上部ファスナー３６１を開放し、下部ファスナー３６２を閉鎖することでポケット状の収納部を形成することができる。
【００２３】  次に、図６以降を参照して、幾つかの他の実施例について説明する。
図６は、ＰＣ用鞄３の他の構成例を示す。この例では、図３における第２バンド３３は設けられない。代わって、鞄本体３０の下部（底部に近い部分）のＢ側表面に、面ファスナー（ループ状面ファスナー）３４２´が設けられる。第１バンド３２の面ファスナー３４１が、面ファスナー３４２´に結合して、ビジネス鞄１とＰＣ用鞄３とが結合されて、組合せ鞄となる。
この例によれば、図３の例に比べて、第２バンド３３及びそれを鞄本体３０に取り付けるための結合部が不要となるので、低コストとなり、鞄全体がシンプルな構造となる。
【００２４】  図７は、図３に示した実施例のＰＣ用鞄３を基にした更なる変形例である。ＰＣ用鞄３単体として使用する場合、第１バンド３２と第２バンド３３は面ファスナーで結合した状態である（図３の例）。この場合、結合状態にある第１バンド３２と第２バンド３３が弛んで邪魔になる場合がある。このようなとき、第１バンド３２と第２バンド３３が邪魔にならないように、第１バンド３２と第２バンド３３の結合部をカバーする帯状のカバー部３９を設けたものである。第１バンド３２と第２バンド３３の面ファスナーによる結合部は、カバー部３９に隠れて保持されるので、結合部が弛んで邪魔になることが防止できる。
【００２５】  図８は、ＰＣ用鞄３の他の構成例を示す。この例は、第１バンド３２の鞄本体３０の固定部３２１が、図３のように鞄本体３０の上辺３０１でなく、上辺３０１から距離ｄだけ内側に入った中途部にある。中途部とは、この第１バンド３２が、ビジネス鞄１の袋帯部１３の上側開口部１５１付近に対応している。この位置から第１バンド３２を延伸すれば、第１バンド３２が丁度、ビジネス鞄１の袋帯部１３の上側開口部１５１で支持されるので、ＰＣ用鞄３がビジネス鞄１に対してズレ下がるのを防止できる。
【００２６】  図９は、ＰＣ用鞄の更に他の構成例を示す。
この例は、図４に示したＰＣ用鞄において面ファスナーを設ける場所を工夫した例である。即ち、幅広な第１バンド３２の裏面の全体にわたって、面ファスナー３４１が設けられ、更に第１バンドの面ファスナー（突起状面ファスナー）３４１に対向する、鞄本体３０の表面にも面ファスナー（ループ状面ファスナー）３４３が設けられる。
【００２７】  而して、第１バンド３２を、ビジネス鞄の袋帯部１３の上側開口部１５１からその中に入れ、他方の第２バンド３３を下側開口部１５２からその中に入れ、袋帯部１３の内部で、面ファスナー３４１と面ファスナー３４２を結合して、第１バンド３２と第２バンド３３を結合する。この実施例によれば、ビジネス鞄の袋帯部１３以外の部分でも、面ファスナー３４１の元部と、面ファスナー３４３が結合するため、ＰＣ用鞄３とビジネス鞄１に一層強固に結合される。このため、ＰＣ用鞄３がビジネス鞄１からズレ下がるのを防止できる。
【００２８】  更に他の例について言えば、図９の構造例を、図６に示すＰＣ用鞄に適用することができる。即ち、図９における第２バンド３３を無くして、鞄本体３０の表面に設けた面ファスナー３４３を、鞄本体の下部（底部に近い部分）まで延伸させる。この例によれば、ＰＣ用鞄３とビジネス鞄１を一層強固に結合でき、ＰＣ用鞄３がビジネス鞄１からズレ下がるのを防止できる。更に、図９の例に比べて、第２バンド３３及びそれを鞄本体３０に取り付けるための結合部が不要となるので、低コスト化が図れる。
【００２９】  また、ＰＣ用鞄３を単体で使用する時には、第１バンド３２の面ファスナー３４１を、鞄本体３０の表面の下部まで延伸して設けた面ファスナー３４３に結合させておくことで、第１バンド３２が邪魔にならず、ＰＣ用鞄３０全体がシンプルな構造となる。
【００３０】  図１０の例は、図５に示したビジネス鞄とＰＣ用鞄の組合せ構造の追加的な構成例を示す。図５の例では、ビジネス鞄１に結合したＰＣ用鞄３の重量は、主にＰＣ鞄３の第１バンド３２と、ビジネス鞄１の袋帯部１３で支えている。
【００３１】  図１０の例は、ＰＣ鞄３の重量を支えるために、ＰＣ用鞄３の上部３０２の取手３１の両側に一対の引掛け金具９１を設けている。引掛け金具９１は、それを開閉可能にするつまみ９１２が設けられている。この引掛け金具９１は、つまみ９１２を操作することで、ビジネス鞄１の取手１１に引掛け可能であり、これにより、ＰＣを収納したＰＣ本体３０の重量を十分に支えることができる。
【００３２】  上記した幾つかの実施例によれば、第１の鞄であるビジネス鞄には格別な結合手段を施さずに、第２の鞄側に設けた第１ベルト及び第２ベルトに結合手段を利用することで、或いは第２の鞄側に設けた第１ベルトの結合手段と第２の鞄の表面に設けた結合手段を利用することで、第１の鞄が元々備えていた、キャリーバックのシャフトに装着するための袋帯部（装着部）を用いて、第２の鞄を第１の鞄に結合することができる。
【００３３】  以上、本発明の実施例について説明したが、本発明は上記実施例に限定されることなく、種々変形、応用して実施し得る。
例えば、図１に示したビジネス鞄は、上側及び下側ファスナー１４１，１４２が設けられているが、要するにキャリーバッグ用シャフトへ装着するための、袋帯部１３の開口部１５１，１５２があればよく、上側及び下側ファスナー１４１，１４２は必ずしも必要が無い。
また同様にして、図５に示されるＰＣ用鞄も、キャリーバッグ用シャフトへ装着するための、袋帯部３５の上下開口部３７１，３７２があればよく、ファスナー３６１，３６２も必ずしも必要が無い。
【００３４】  また、図８に示した鞄の変形例として、図６に示した実施例と同様にして、図８の鞄の第２バンド３３を無くして、鞄本体３０の下部（底部に近い部分）のＢ側表面に、面ファスナー（ループ状面ファスナー）３４２´を設けるようにしてもよい。この場合、第１バンド３２の面ファスナー３４１が、面ファスナー３４２´に結合して、第１鞄と第２鞄とが結合される。
【００３５】  また、図１０に示した鞄の変形例として、引掛け金具９１は、ビジネス鞄１の取手１１に引掛けずに、ビジネス鞄１の肩掛けベルトの引掛け部１６に引掛けるにように、一対の引掛け金具９１を鞄本体３０の側部に設けてもよい。
【００３６】  また、図３及び図４の例では、第１バンド３２の裏側に突起状面ファスナー３４１を設け、第２バンド３３の表側にループ状面ファスナー３４２を設けたが、他の例では、逆に、突起状面ファスナーを第２バンドの裏側に設け、ループ状面ファスナーを第１バンドの表側に設けてもよい。
【００３７】  更に、図３の変形例として、第１バンド３２を無くし、それに代わって、鞄本体３０のＢ面側中央部付近にループ状面ファスナーを設け、一方、裏側に突起状面ファスナーを設けた第２バンドの該突起状面ファスナーをこのループ状ファスナーに結合するようにしてもよい。要するに、図６の例とは反対に、第２バンドを、鞄本体３０の表面に設けた面ファスナーに結合する構造となる。
【００３８】  上記実施例における鞄の各部の名称は一例であり、別の名称で呼ばれてもよい。例えば、ビジネス鞄１の袋帯部１３は、キャリーバッグ用シャフトへの装着部と呼んでもよい。
また、上記実施例では、ビジネス鞄１とＰＣ用鞄３の結合する構造について述べたが、ビジネス鞄１とＰＣ用鞄３の結合に限らず、一般的には、第１鞄と第２鞄の結合に適応できる。
【符号の説明】
【００３９】１：ビジネス鞄  １０：鞄本体  １１：取手  １２：ファスナー  １３：袋帯部  １４１：上部ファスナー  １４２：下部ファスナー  １５１：上側開口部  １５２：下側開口部  １６：引掛け部  ２：キャリーバッグ
３：ＰＣ用鞄  ３０：鞄本体  ３１：取手  ３２：第１バンド  ３３：第２バンド  ３４１、３４２：面ファスナー
３５：袋帯部  ３６１：上側ファスナー  ３６２：下側ファスナー  ３７１：上側開口部  ３７２：下側開口部  ３８：ファスナー
【図１】
2012192148.tif 000003
【図２】
2012192148.tif 000004
【図３】
2012192148.tif 000005
【図４】
2012192148.tif 000006
【図５】
2012192148.tif 000007
【図６】
2012192148.tif 000008
【図７】
2012192148.tif 000009
【図８】
2012192148.tif 000010
【図９】
2012192148.tif 000011
【図１０】
2012192148.tif 000012